(57)【特許請求の範囲】
【請求項１】
型切りした印刷ラベルＬの剥離シートＳのない先端部分ＮをカードＣの先端側に貼り合せ、当該カードＣの貼り合せ側を上向きにすると共に前記先端部分Ｎを前方に向けて乗せるようにしたベース部１１と、該ベース部１１の先端部にあって前記カードＣとラベルＬの先端側を扶持する上，下の圧着ローラ１２，１２と、該ローラ１２，１２を回転させるハンドル１３と、前記ベース１１における前記ローラ１２，１２の手前側にあって剥離シートＳごとめくり上げられたラベルＬをその姿勢に支持すると共にラベルＬから剥がされる剥離シートＳをその先端部から剥がしつつめくり上げて保持するようにしたガイドローラ１５，１５を備え、前記ハンドル１３で圧着ローラ１２，１２を回転させて扶持している貼り合されたカードＣとラベルＬをベース部１１から前方へ送り出すとき、前記剥離シートＳがガイドローラ１５，１５によって剥がされると共に回転する圧着ローラ１２，１２によってラベルＬとカードＣが圧着されるようにしたことを特徴とするラベル貼付装置。
【発明の詳細な説明】
【技術分野】
【０００１】
本発明は、ＪＩＳ２型カードや、その他同サイズのＩＣカードなどを、個人的に製作しようとするとき、ラベルを貼り付けようとするカードに、そのラベルを正確に貼り付けることができる簡易型のラベルプレッシャー、つまり、ラベル貼付装置に関する。
【背景技術】
【０００２】
従来、ＪＩＳ２型カードや同サイズのＩＣカードなど、既存サイズのカードの外面に手作り業でラベルを貼付けるとき、下のカードと貼付けるラベルとが全くズレることなく貼付けることは、きわめて困難であり、事実上不可能ともいえるものであった。
【０００３】
また、手作業で薄いラベルをカードの外面に貼付けるとき、カード表面とラベル裏面の間に、微量な空気が抱き込まれて、それがラベル表面に気泡として表われて見映えを損なうという問題もある。
【発明の開示】
【発明が解決しようとする課題】
【０００４】
そこで本発明では、ラベルを貼る前のカードに寸分の誤差もなくラベルを手だけで貼り付けるのは極めて難しく、また、貼り付けた後に、カードとラベルとの間に細かい気泡が生じやすく見苦しいという従来の問題点に鑑み、カードにラベルを手作業で貼付けるとき、きっちりとした高精度の位置決めができると共に、気泡も生じないラベル貼付装置を提供することを課題とする。
【課題を解決するための手段】
【０００５】
上記課題を解決することを目的としてなされた本発明ラベル貼着装置の構成は、型切りした印刷ラベルＬの剥離シートＳのない先端部分ＮをカードＣの先端側に貼り合せ、当該カードＣの貼り合せ側を上向きにすると共に前記先端部分Ｎを前方に向けて乗せるようにしたベース部１１と、該ベース部１１の先端部にあって前記カードＣとラベルＬの先端側を扶持する上，下の圧着ローラ１２，１２と、該ローラ１２，１２を回転させるハンドル１３と、前記ベース１１における前記ローラ１２，１２の手前側にあって剥離シートＳごとめくり上げられたラベルＬをその姿勢に支持すると共にラベルＬから剥がされる剥離シートＳをその先端側から剥がしつつめくり上げて保持するようにしたガイドローラ１５，１５を備え、前記ハンドル１３で圧着ローラ１２，１２を回転させて扶持している貼り合されたカードＣとラベルＬをベース部１１から前方へ送り出すとき、前記剥離シートＳがガイドローラ１５，１５によって剥がされると共に回転する圧着ローラ１２，１２によってラベルＬとカードＣが圧着されるようにしたことを特徴とするものである。
【発明の効果】
【０００６】
本発明では、ベース部に、ラベルを貼りたい側を上向きにしてカードを乗せると共に、型切りした印刷ラベルの前記カードと貼り合わせる側を下向きにして、前記カードに合わせて乗せ、前記ラベルの先端部に形成した剥離シートのない部分を指で前記カードに貼り合わせ、当該ラベルを剥離シートごとめくり上げ、更にラベル先端部から前記剥離シートをはがしつつめくり上げて保持する一方、前記カードとラベルの接着された部分を上下のローラーの間に挟持させてから、上下のローラーを同周期で互いに逆回転させることにより、前記カードとラベルを徐々になめらかに圧着しながら上，下ローラーの前方に繰り出すようにラベル貼付装置を形成したから、カードとラベルは両者の間に気泡を生ずることなく、また、反りや位置ズレもなく、きれいに圧着することができる。
【発明を実施するための最良の形態】
【０００７】
次に、本発明の実施の形態例について、図を参照しながら説明する。
添付した図において、図１は本発明ラベル貼付装置の使用前の斜視図、図２は本発明装置に適用するラベル用紙の一例の平面図、図３は図２のラベル用紙の裏面図、図４は図２，図３のラベル用紙から打抜いた１枚のラベル表側の斜視図、図５は図４のラベル裏側の斜視図、図６は本発明貼付装置にカードとそれに貼付けるラベルのセットする状態を説明するための斜視図、図７は本発明ラベル貼付装置の使用時の斜視図である。
【０００８】
本発明装置の実施の形態例を示す図１において、１０は本体フレームで、図６に示すカードＣや図４，図５に示すラベルＬをセットする架台状のベース部１１を備えている。１２はベース部１１にセットされたカードＣとラベルＬを圧着しながら送り出す圧着ローラーで、本体フレーム１０の先端部に上，下２個配置されている。１３は、下位の圧着ローラー１２の軸を回すハンドル、１４はハンドル１３を回すためのツマミである。
【０００９】
１６は、カードＣとラベルＬ及びラベルＬの剥離シートＳの間に介在し、カードＣの上面にラベルＬの下面を貼り合わせるとき、３つの部材Ｃ，Ｌ，Ｓをそれぞれ分離し、かつ、ガイドするための２本のガイドローラー１５を備えたガイドローラフレームである。１７は２本の圧着ローラー１２，１２を保持するバーであって、固定された下位のローラー１２に上位のローラー１２から圧力をかけるための調節ネジ（ネジの下に圧力を加減するコイルバネ（図示せず）がセットされている）を具備している。１８は、前記ガイドローラー１５のフレーム１６を定位置に固定するためのストッパー、１９は上下の圧着ローラー１２，１２を同周期で互いに逆回転させるための一対の平歯車である。
【００１０】
本発明装置に適用するラベルの抜き形状は、一例として、基材Ｂｐがはがきサイズの場合、図２に示すように２枚のラベルＬを打抜く。図２，図３のラベルＬでは、表面はラベルＬの印刷面２１、裏面は剥離シートＳが貼られている面で先端には剥離シートのない部分Ｎが形成されている。図４と図５は、はがきサイズ版の基材Ｂｐから打抜いた１枚のラベルＬの表面（印刷面２１）と裏面（剥離シートＳ）の状態を例示している。
【００１１】
図１の本発明装置により、図４，図５のラベルＬをカードＣに貼る時の作業状態を、図６，図７により説明する。ラベルＬを貼る面を上向きにしてカードＣを本体１０のベース部１１の上面に置き、その上に剥離シートＳの面を下にしてラベルＬをカードＣの上に乗せ、剥離シートＳの無い先端部でラベルＬとカードＣを手でしっかり貼り合わせる。
【００１２】
この貼合せが済んだらラベルＬをカード面Ｃからめくり上げると共に、剥離シートＳを先端部から剥がしてまくりあげ、ラベルＬと剥離シートＳの間にガイドローラー１５をそのフレーム１６がストッパー１８に掛かるところまで回してセットする。
【００１３】
引きつづきカードＣを後部から押しながら、ハンドル１３を回して上下の圧着ローラ１２，１２に挟持させたら、全体を押さえつつ更にハンドル１３を回してゆくと、カードＣとラベルＬがしっかり貼り合わさって、上下の圧着ローラー１２，１２の間から押し出されてくる（図７参照）。
【産業上の利用可能性】
【００１４】
本発明は以上の通りであって、  上記課題を解決することを目的としてなされた本発明ラベル貼着装置の構成は、型切りした印刷ラベルの剥離シートのない先端部分をカードの先端側に貼り合せ、当該カードの貼り合せ側を上向きにすると共に前記先端部分を前方に向けて乗せるようにしたベース部と、該ベース部の先端部にあって前記カードとラベルの先端側を扶持する上，下の圧着ローラと、該ローラを回転させるハンドルと、前記ベースにおける前記ローラの手前側にあって剥離シートごとめくり上げられたラベルをその姿勢に支持すると共にラベルから剥がされる剥離シートをその先端側から剥がしつつめくり上げて保持するようにしたガイドローラを備え、前記ハンドルで圧着ローラを回転させて扶持している貼り合されたカードとラベルをベース部から前方へ送り出すとき、前記剥離シートがガイドローラによって剥がされると共に回転する圧着ローラによってラベルとカードが圧着されるようにして、カードへのラベル貼着装置としたので、手作業であってもカードに対する貼付ラベルの位置決めを高精密になし得るのみならず、カードとラベルの間に気泡が生じないという利点が得られる。
【図面の簡単な説明】
【００１５】
【図１】本発明ラベル貼付装置の使用する前の斜視図。
【図２】本発明装置に適用するラベル用紙の一例の平面図。
【図３】図２のラベル用紙の裏面図。
【図４】図２，図３のラベル用紙から打抜いた１枚のラベル表側の斜視図。
【図５】図４のラベル裏側の斜視図。
【図６】本発明貼付装置にカードとそれに貼付けるラベルのセットする状態を説明するための斜視図。
【図７】本発明ラベル貼付装置の使用時の斜視図。
【符号の説明】
【００１６】
１０    本体フレーム
１１    ベース部
１２    圧着ローラー
１３    プレスハンドル
１４    ツマミ
１５    ガイドローラー
１６    ガイドローラーのフレーム
１７    圧着ローラー１２のローラ圧調節ネジ
１８    ストッパー
１９    平歯車
Ｌ      ラベル
Ｃ      カード
Ｓ      剥離シート
【図１】
0004542088.tif 000002
【図２】
0004542088.tif 000003
【図３】
0004542088.tif 000004
【図４】
0004542088.tif 000005
【図５】
0004542088.tif 000006
【図６】
0004542088.tif 000007
【図７】
0004542088.tif 000008